(57)【要約】      （修正有）【課題】プロパンガスの使用が少ない大都市において、固形燃料や、薪、炭等の代替加熱燃料を使用した場合に通気性を良くするとともに、使用後の灰の処理対策を考慮した災害用移動かまどを提供する。【解決手段】移動かまど１は、かまど本体２と移動台車１０とを有して構成する。移動台車１０は、かまど本体を載置する支持台１１と、支持台の下面に取り付けるキャスター１２と、移動台車を牽引する手持ちハンドル部１３を有する。支持台１１の中央部には、複数の通気孔を有する通気部を形成するとともに、固形燃料Ｎ１を収納する収納体２０を位置決め案内する案内部を設ける。支持台１１の下方には、灰出しテーブル受け部で摺動案内される灰出しテーブルを摺動可能に設ける。【選択図】図１
0003189006.tif 000002
【実用新案登録請求の範囲】
【請求項１】
中空筒状に形成されるとともに下部の一方に開口部を有するかまど本体と、かまど本体を載置する支持台および前記支持台の下部にキャスターを備えた移動台車と、を備えた災害用移動かまどであって、
前記かまど本体に形成された開口部は、加熱燃料が出入可能に形成され、
前記支持台には、前記支持台の下方から空気を導入する複数の通気孔を有する通気部が形成され、
前記移動台車には、前記通気孔から落下する前記加熱燃料の灰を外部に排出するための灰出しテーブルが前記支持台の下方において前記支持台に対して引き出し可能に配設されていることを特徴とする災害用移動かまど。
【請求項２】
前記加熱燃料が、薪又は炭であって、前記薪又は炭は、前記通気部の上面に配置されることを特徴とする請求項１記載の災害用移動かまど。
【請求項３】
前記加熱燃料が固形燃料であって、前記固形燃料は、上方が開口された筐体状の燃料収納体に収納され、前記燃料収納体は、前記かまど本体の開口部の出入方向に対する両側壁を有するとともに、前記両側壁は前記移動台車上に固着された平面視コの字状に形成された案内部に案内されることを特徴とする請求項１記載の災害用移動かまど。
【請求項４】
前記移動台車の走行方向における前記支持台の一端側には、前記支持台に対して傾倒可能な１本の手持ちハンドルが配設されていることを特徴とする請求項１乃至３記載の災害用移動かまど。
【請求項５】
前記移動台車の走行方向の後部側に装着されたキャスターには、ベアリングボールが装着されて３６０°回転可能に構成されていることを特徴とする請求項１乃至４記載の災害用移動かまど。
【考案の詳細な説明】
【技術分野】
【０００１】
本考案は、災害時に簡便に使用できる災害用移動かまどに関する。
【背景技術】
【０００２】
従来、複数の分割壁を有して炊飯かまどが装着され、搬送・収納が容易に行なえるとともに現地にて簡単に組付けできる災害用の搬送台車が、本出願人の出願による特許文献１に開示されている。これによれば、この搬送台車は、キャスターを装着した底板と、底板上に止着されて組付け可能な複数の分割壁が嵌入される嵌入部と、を有して、災害時には即座に移動できるように構成されている。複数の分割壁の少なくとも１つには、加熱手段が挿入可能な開口窓が形成されている。加熱手段としては、一般にプロパンガスが多く使用されている。プロパンガスは、持ち運び可能なタンク内に充填されていて、バーナー等で点火すれば、室外であっても容易に発火させて加熱することができる。
【先行技術文献】
【特許文献】
【０００３】
【特許文献１】実用新案登録第３１６１２８５号公報
【考案の概要】
【考案が解決しようとする課題】
【０００４】
しかし、東京都や東京都周辺の大都市になると、都市ガスが行き渡っていることから、逆にプロパンガスは使用されないケースが多い。これらの大都市では、プロパンガスの所有量も少なく、災害時では即座に手に入れることが難しい状態であった。一般的に、災害時の避難場所として設置されるのは、公共の大きな建物、例えば、学校の体育館や、それぞれの公民館等の室内施設、又は、学校の運動場や公園等の室外施設等である。室外施設でかまどを使用する場合、プロパンガスを加熱燃料とすることが難しかったため、プロパンガスの代わりに固形燃料や、薪、炭を加熱手段として使用せざるを得なかった。特に薪や炭を加熱燃料とする場合には、瞬時に加熱することが必要であることはもちろんのこと、使用された後の灰の処理対策をも考慮しなければならなかった。従来では、プロパンガスを使用することが多かったため、搬送台車には、灰の処理を考慮した部位は示されていなかった。
【課題を解決するための手段】
【０００５】
本考案は、上記の課題を改良するものであり、特に、固形燃料や、薪、炭等の加熱燃料を使用した場合に通気性を良くするとともに、使用後の灰の処理対策を考慮した災害用移動かまどを提供するものである。そのために、本考案の災害用移動かまどは、以下のように構成するものである。すなわち、
請求項１記載の考案は、中空筒状に形成されるとともに下部の一方に開口部を有するかまど本体と、かまど本体を載置する支持台および前記支持台の下部にキャスターを備えた移動台車と、を備えた災害用移動かまどであって、前記かまど本体に形成された開口部は、加熱燃料が出入可能に形成され、前記かまど本体に形成された開口部は、加熱燃料が出入可能に形成され、前記支持台には、前記支持台の下方から空気を導入する複数の通気孔を有する通気部が形成され、前記移動台車には、前記通気孔から落下する前記加熱燃料の灰を外部に排出するための灰出しテーブルが前記支持台の下方において前記支持台に対して引き出し可能に配設されていることを特徴とするものである。
【０００６】
これによれば、災害用移動かまどは、災害時に、避難場所に運び込まれると、かまど本体の開口部から加熱燃料を挿入し、加熱燃料が所定位置まで移動すると点火作業に入る。かまど本体の上部には平釜や鍋等を載置し、加熱燃料を加熱して調理することによって避難している人々に温かな食べ物や飲み物を提供することができる。特に、東京都やその周辺の都市には、都市ガスが行き渡っていて、プロパンガスは即座には手に入らないから、固形燃料や、薪あるいは炭等が使用されることとなる。移動台車の支持台には通気孔が形成され、さらにその下方に灰出しテーブルが引き出し可能に配置されているから、固形燃料や、薪、炭を使用していても、通気性がよいから加熱状態は良好で、しかも、薪や炭等の灰は、通気孔を通って灰出しテーブルで外部に排出されることになる。そのため、災害用移動かまどの使用後も、灰が散らばらないから周辺を汚さずにすることができる。なお、灰出しテーブルは、灰皿として使用することもできる。従って、引き出された灰を別のごみ袋等に封入してごみ集積場に持ち込めば、移動かまどを使用した後の処理を容易に行なうことができる。
【０００７】
請求項２記載の考案は、請求項１の考案に係るものであって、前記加熱燃料が、薪又は炭であって、前記薪又は炭は、前記通気部の上面に配置されることを特徴としている。
【０００８】
これによれば、薪や炭等の加熱燃料は、灰が発生することから、その灰は灰出しテーブル内に回収することができ、灰を周辺に散らばせることがない。
【０００９】
請求項３記載の考案は、請求項１に係る考案であって、前記加熱燃料が固形燃料であって、前記固形燃料は、上方が開口された筐体状の燃料収納体に収納され、前記燃料収納体は、前記かまど本体における開口部からの出入方向に対する両側壁を有するとともに、前記両側壁は前記移動台車上に固着された平面視コの字状に形成された案内部に案内されることを特徴としている。
【００１０】
これによれば、加熱燃料が、固形燃料の場合では、固形燃料は、上部が開口した筐体状の燃料収納体に収納され、燃料収納体をかまど本体の開口部から内部に挿入する際は、燃料収納体の両側壁は、支持台上に配置された案内部の両側壁に案内される。そのため、固形燃料Ｎ１が収納された燃料収納体は、かまど本体の中央部に配置されることになるから、例えば、かまど本体上に載置される平釜や鍋の中央部分を加熱することになり効率よく平釜や鍋を加熱することができる。
【００１１】
請求項４記載の考案は、請求項１乃至３のいずれかに記載の考案であって、前記移動台車の走行方向における前記支持台の一端側には、前記支持台に対して傾倒可能な１本の手持ちハンドルが配設されていることを特徴としている。
【００１２】
これによれば、手持ちハンドルは、支持台に対して傾倒可能に装着されているので、例えば、手持ちハンドルを支持台に垂直方向に配置すれば、その位置で移動かまどを押したり牽引したりすることができるとともに、収納時に支持台より外側に出ないので、収納スペースを確保することができる。また、手持ちハンドルを斜め方向に傾倒させれば、１本の手持ちハンドルを片手で持つことができ、移動台車を容易に牽引することができる。
【００１３】
請求項５記載の考案は、請求項１乃至４のいずれかに記載の考案に係るものであって、前記移動台車の走行方向の後部側に装着されたキャスターには、ベアリングボールが装着されて３６０°回転可能に構成されていることを特徴としている。
【００１４】
これによれば、手持ちハンドルを傾倒させて、片手で牽引する際に、移動台車を３６０°自在に回転させることができるので、災害用移動かまどの位置を自由に設置することができる。
【図面の簡単な説明】
【００１５】
【図１】本考案の一実施形態による移動かまどの全体斜視図である。
【図２】図１における後方から見た移動かまどの全体斜視図である。
【図３】図１における移動かまどの移動台車の側面図である。
【図４】同平面図である。
【図５】同正面図である。
【図６】同底面図である。
【図７】灰出しテーブルを示す斜視図である。
【図８】手持ちハンドル部を示す側面図である。
【図９】手持ちハンドル部を示す背面図である。
【図１０】手持ちハンドル部を示す平面図である。
【図１１】自在型キャスターを示す側面図である。
【図１２】灰出しテーブルの出入状態を示す斜視図である。
【図１３】手持ちハンドルの作用を示す側面図である。
【考案を実施するための形態】
【００１６】
本考案における一実施形態の災害用移動かまど（以下、単に移動かまどという。）を図面に基づいて説明する。なお、以下の説明において、移動かまどは、後述の手持ちハンドルで手押しされる側、つまり移動台車における装着された手持ちハンドルと反対側を前部又は前方といい、手持ちハンドルで牽引される側、つまり、手持ちハンドルが装着される側を後部または後方という。
【００１７】
図１は、移動かまど１を示す全体斜視図であり、図２は、その背面からみた斜視図であり、図３はその側面図である。図１〜３に示すように、移動かまど１は、かまど本体２と、かまど本体２を載置する移動台車１０とを有して構成されている。移動台車１０は、かまど本体２を載置する支持台１１と、支持台１１の下面４隅に取り付けられるキャスター１２と、支持台１１の後端部中央に１箇所取り付けられる手持ちハンドル部１３と、を有して構成されている。なお、３は、かまど本体２上を閉塞する蓋である。
【００１８】
かまど本体２は円筒状に形成され、下端部にフランジ部２ａを有して支持台１１のほぼ中央位置に配置され、支持台１１にねじ手段で締付けられている。かまど本体２の下部前部には、開口部２ｂが形成されている。開口部２ｂには、固形燃料Ｎ１を収納する燃料収納体（以下、収納体という。）２０が収納される。収納体２０は、上方が開口され、前壁部２０ａ、両側部２０ｂ、２０ｂ、後壁部２０ｃ、底板部２０ｄを有する筐体状に形成されている。
【００１９】
図４は、移動台車１０の平面図であり、支持台１１の中央部には、複数の通気孔１５ａを有する通気部１５が形成されている。通気部１５の周りに、収納体２０をかまど本体２内に移動させる際のコの字状の案内部１６が取り付けられている。コの字状の案内部１６は支持台１１の前部側が開放され、Ｌ字状に形成された両側壁部１６ｂ、１６ｂと後壁部１６ｃとが平面視コの字状となるように配置されている。両側壁部１６ｂ、１６ｂ間は、収納体２０の両側部２０ｂ、２０ｂ間の幅寸法と略同一で、収納体２０を開口部２ｂから手で挿入移動させる際に、かまど本体２の左右方向の中央部に配置させるための案内をするものであり、後壁部１６ｃは、収納体２０の後壁部２０ｃに当接することによって、収納体２０をかまど本体２の前後方向の中央部に位置決めさせるためのストッパとして構成される。収納体２０をかまど本体２の中央位置に配置することにより、加熱位置が、かまど本体２に載置される平釜や鍋等の下面中央部に対向させるとともに、複数の通気孔１５ａの一部が、移動された収納体２０の外周面より外側にはみ出させるようにする。これによって、収納体２０の底板部２０ｄで全ての通気孔１５ａを塞ぐことがなく通気部１５からの通気を確保することができる。
【００２０】
図５〜７に示すように、支持台１１の下面側には、灰出しテーブル１７が支持台１１の前後方向に移動可能に配置されている。灰出しテーブル１７は、加熱燃料が、主に薪や炭であって、通気孔１５ａを通って落下する薪や炭の灰を回収するものである。灰出しテーブル１７は、上面が支持台１１の下面に取り付けられて前方が開口された筒状の灰出しテーブル受け部１９内に支持されている。灰出しテーブル１７は、上面が開口され、前壁部１７ａ、両側壁部１７ｂ、１７ｂ、後壁部１７ｃ、底板部１７ｄを有して筐体状に形成されている。前壁部１７ａには、内部に収納された灰出しテーブル１７を前方に向かって手で引き出しやすいように把持部１７ｅが形成されている。
【００２１】
灰出しテーブル受け部１９は、上面が支持台１１の下面に取り付けられて灰出しテーブル１７の両側壁部１７ｂ、１７ｂを摺動可能に支持するコの字状の摺動受け部１９ｂ、１９ｂと、灰出しテーブル１７の後壁部１７ｃが当接可能に配置される当接部１９ｃと、を備えている。
【００２２】
図２及び、図８〜１０に示すように、支持台１１の後端部に配置された手持ちハンドル部１３は、支持台１１の後端面中央部に取り付けられたハンドル受け部１４とハンドル受け部１４内に挿入可能な手持ちハンドル２１とを備えて構成されている。ハンドル受け部１４は、支持台１１の後端面に当接する当接面部１４１ａと当接面部１４１ａから後方に突出する直交面部１４１ｂとを有してＬ字状に形成された両側壁部１４１、１４１と、両側壁部１４１、１４１の後方端面を繋ぐ後壁部１４２とを備えている。両側壁部１４１は、後壁部１４２より上方に突出して形成され、直交面部１４１ｂ、１４１ｂにおける後壁部１４２より上方の部位には、上下方向に長孔１４１ｃが形成されている。なお、後壁部１４２は、両側壁部と重ね合う部位を有してコの字状に形成してもよく、また支持台１１の後端面に当接する部位を有して角筒状に形成してもよい。
【００２３】
図２、図８〜１０に示すように、手持ちハンドル２１は、長尺円筒状、又は長尺円柱状の胴体部２１１と、胴体部２１１の下部に形成された案内ピン部２１２と、手で把持される手持ち部２１３とを備えている。案内ピン部２１２は、円柱状で胴体部２１１の両側に突出して形成され、胴体部２１１の下端面から所定位置にハンドル受け部１４の両側壁部１４１の長孔１４１ｃに嵌入して、長孔１４１ｃ内を摺動可能な外径を有して形成されている。
【００２４】
支持台１１の後端面とハンドル受け１４の両側壁部１４１の直交面部１４１ｂ、１４１ｂと、後壁部１４２との間に形成された空間部は、手持ちハンドル２１の案内ピン部２１２の下方に形成された挿入部２１４が挿入される収納部２３として形成される。
【００２５】
従って、手持ちハンドル２１は、挿入部２１４がハンドル受け部１４の収納部２３に挿入されているときは、支持台１１に対して垂直方向に立設され、手持ちハンドル２１を持ち上げて、挿入部２１４を収納部２３から挿入解除すると支持台１１に対して傾倒させることができる。
【００２６】
図１〜３に示すように、キャスター１２は、支持台１１の下面に前部に２個、後部に２個取り付けられている。そのうち前部の２個については、一方向に移動する固定型キャスター１２Ａであり、図１１に示すように、後部の２個については、ベアリングボール１２１付きの自在型キャスター１２Ｂに構成されている。これにより、移動台車１０は、水平方向に３６０°回転可能となって災害用移動かまど１の位置を自由に設置することができる。
【００２７】
次に、上記のように構成された移動かまど１の作用について説明する。
【００２８】
災害が発生した場合、先ず、かまど本体２を移動台車１０の支持台１１上に取り付ける。この作業は、かまど本体２のフランジ部２ａと支持台１１とをねじで締付けることによって、かまど本体２を支持台１１上に固定する。災害時以外で保管する場合、この状態で移動かまど１を保管しておいてもよく、それぞれ分解した状態で保管しておいてもよい。いずれにしろ、災害が発生して移動かまど１を避難場所に搬送する。
【００２９】
移動かまど１を搬送する際、手持ちハンドル部１３を操作して移動かまど１を避難場所に移動する。
【００３０】
図１３（ａ）に示すように、保管状態においては、手持ちハンドル２１の先端の挿入部２１４（図３（ｂ）参照）がハンドル受け部１４の収納部２３内に挿入されている。手持ちハンドル２１は、案内ピン部２１２が両側壁部１４１の長孔１４１ｃの下端部に傾倒規制され、挿入部２１４が収納部２３の周囲の壁部（両側壁部１４１、後壁部１４２、支持台１１の後端面）に傾倒規制されていることから、垂直方向に立設されている状態にある。図１３（ｂ）に示すように、手持ちハンドル２１を案内ピン部２１２で長孔１４１ｃ内を上方に移動するように持ち上げて、挿入部２１４をハンドル受け部１４の収納部２３から挿入解除する。これによって、手持ちハンドル２１を傾けることができる。
【００３１】
従って、災害が発生したときには、移動かまど１の手持ちハンドル２１の手持ち部２１３を把持した後、手持ちハンドル２１を持ち上げながら傾けて、引っ張るようにして移動させる。同時に、加熱燃料として固形燃料Ｎ１又は薪あるいは炭を運ぶ。移動かまど１に装着されている後方のキャスター１２は自在型キャスター１２Ｂを構成しているから、搬送時や現地到着時に自由に回転させて、適度な方向に向けることができる。
【００３２】
避難場所に到着したら、早速調理を行なう。移動台車１０には、かまど本体２が取り付けられ、蓋３が載置されている。蓋３を取り外し、平釜又は鍋等をかまど本体２の上面に載置する。
【００３３】
かまど本体２には前方に開口部２ｂが形成されていることから、加熱燃料が固形燃料Ｎ１（図１参照）の場合には、固形燃料Ｎ１が収納された収納体２０（図１参照）をかまど本体２の開口部２ｂ内に挿入する。収納体２０は案内部１６の両側壁部１６ｂ、１６ｂ（図４参照）に案内されながら支持台１１の幅方向の中央に沿って移動される。収納体２０は、後壁部２０ｃが案内部１６の後壁部１６ｃ（図４参照）に当接した時点で位置決めされる。図４に示すように、収納体２０が位置決めされた位置においては、かまど本体２のほぼ中央位置に位置されるとともに、通気部１５の大部分は収納体２０に塞がれるものの、一部の通気孔１５ａは収納体２０の外側にあり、かまど本体２の開口部２ｂから入る一次通気口に対して二次通気口を形成することになる。
【００３４】
かまど本体２の上部には平釜又は鍋が載置され、固定燃料に点火して加熱すれば、避難している人達に調理された温かな食べ物や飲み物を提供することができる。
【００３５】
また、加熱燃料が薪や炭の場合、薪や炭は、収納体２０に収納せずに直接、支持台１１の通気部１５上に積み重ねるように載置する。この場合、図１２に示すように、通気部１５の複数の通気孔１５ａは、支持台１１の下方からの空気を取り入れる二次空気口を形成するとともに、薪や炭が燃焼する際に発生する灰落しの機能を有する。灰は、通気孔１５ａから下方に落下すると、灰出しテーブル１７内に収納される。
【００３６】
灰出しテーブル１７は、灰出しテーブル受け部１９によって摺動可能に構成されている。つまり、灰出しテーブル１７の両側壁部１７ｂ、１７ｂは、灰出しテーブル受け部１９の摺動受け部１９ｂ上を摺動するため、薪や炭で加熱する前には、灰出しテーブル１７を灰出しテーブル受け部１９内に押し込んで、灰出しテーブル１７の後壁部１７ｃを灰出しテーブル受け部１９の当接部１９ｃに当接させておく。
【００３７】
灰出しテーブル１７は、上方が開口された筐体状に形成されているから、収納された灰は、周りの側面から落下することはなく貯留される。灰出しテーブル１７が灰で満たされると、灰出しテーブル１７の前面側に配置されている把持部１７ｅを把持して前側に引き出し、貯留された灰を排出処理する。また、灰出しテーブル１７は、灰皿として使用できるから、灰が貯溜されている如何に係らす、引き出して、タバコの灰を落すことができる。
【００３８】
なお、移動かまど１は、ストーブとしても併用することができる。例えば、かまど本体２上に載置された平釜や鍋を取りはすし、かまど本体２内に、加熱燃料が収納された案内部１６を囲うように枠状の加熱板を配置する。
【００３９】
上述のように、実施形態の移動かまど１は、かまど本体２と移動台車１０からなり、移動台車１０の支持台１１の中央部に複数の通気孔１５ａを有する通気部１５を形成し、また、燃料収納体２０を案内する案内部１６や支持台１１の下方に引き出し可能な灰出しテーブル１７を設けたことから、固形燃料Ｎ１や薪又は炭等の灰発生燃料を使用することができる。そのため、大都市等のプロパンガスが使用されない地域においても、災害時に移動かまどを利用して食べ物や飲み物を提供することができる。
【００４０】
また、移動かまど１には、後端部に１本の手持ちハンドル２１が配置されている。垂直方向に立設された手持ちハンドル２１を持ち上げることによって、手持ちハンドル２１を自在な位置に傾けることができる。１本の手持ちハンドル２１を傾ければ、片手で牽引することができ、さらに、支持板の後方に２個の自在型キャスター１２Ｂを取り付けてあるから、移動かまど１を片手で牽引する際、移動台車１０を水平方向に３６０°自由に向けることができ、移動かまど１を容易に適所な場所に搬送することができる。
【符号の説明】
【００４１】
１、移動かまど
２、かまど本体
１０、移動台車
１１、支持台
１２Ｂ、自在型キャスター
１３、手持ちハンドル部
１４、ハンドル受け部
１５、通気部
１５ａ、通気孔
１６、案内部
１７、灰出しテーブル
１９、灰出しテーブル受け部
２０、燃料収納体
Ｎ１、固形燃料
【図１】
0003189006.tif 000003
【図２】
0003189006.tif 000004
【図３】
0003189006.tif 000005
【図４】
0003189006.tif 000006
【図５】
0003189006.tif 000007
【図６】
0003189006.tif 000008
【図７】
0003189006.tif 000009
【図８】
0003189006.tif 000010
【図９】
0003189006.tif 000011
【図１０】
0003189006.tif 000012
【図１１】
0003189006.tif 000013
【図１２】
0003189006.tif 000014
【図１３】
0003189006.tif 000015
【手続補正書】
【提出日】平成25年12月9日(2013.12.9)
【手続補正１】
【補正対象書類名】実用新案登録請求の範囲
【補正対象項目名】全文
【補正方法】変更
【補正の内容】
【実用新案登録請求の範囲】
【請求項１】
中空筒状に形成されるとともに下部の一方に開口部を有するかまど本体と、かまど本体を載置する支持台および前記支持台の下部にキャスターを備えた移動台車と、を備えた災害用移動かまどであって、
前記かまど本体に形成された開口部は、加熱燃料が出入可能に形成され、
前記支持台には、前記支持台の下方から空気を導入する複数の通気孔を有する通気部が形成され、
前記移動台車には、前記通気孔から落下する前記加熱燃料の灰を外部に排出するための灰出しテーブルが前記支持台の下方において前記支持台に対して引き出し可能に配設されていることを特徴とする災害用移動かまど。
【請求項２】
前記加熱燃料が、薪又は炭であって、前記薪又は炭は、前記通気部の上面に配置されることを特徴とする請求項１記載の災害用移動かまど。
【請求項３】
前記加熱燃料が固形燃料であって、前記固形燃料は、上方が開口された筐体状の燃料収納体に収納され、前記燃料収納体は、前記かまど本体の開口部の出入方向に対する両側壁を有するとともに、前記両側壁は前記移動台車上に固着された平面視コの字状に形成された案内部に案内されることを特徴とする請求項１記載の災害用移動かまど。
【請求項４】
前記移動台車の走行方向における前記支持台の一端側には、前記支持台に対して傾倒可能な１本の手持ちハンドルが配設されていることを特徴とする請求項１乃至３のいずれか一項に記載の災害用移動かまど。
【請求項５】
前記移動台車の走行方向の後部側に装着されたキャスターには、ベアリングボールが装着されて３６０°回転可能に構成されていることを特徴とする請求項１乃至４のいずれか一項に記載の災害用移動かまど。